(57)【要約】【課題】前処理を施した着物や長襦袢の衿の状態を保ちながら保管することができ、能率的で美しい仕上がりの着付け作業を行うことができる着物カバーを提供する。【解決手段】着物カバーは、カバー本体１０，小物ケース３０，収納袋５０により構成されている。カバー本体１０の略中央には、着物８２や長襦袢８４の衿８６を露出するための開口部１２が設けられており、その下方には、ポケット１６が設けられている。前記小物ケース３０には、複数の着付け用小物を収納するポケットが形成されている。該小物ケース３０に所定の小物を収納した状態で、小物収納側が表になるよう三つ折りにして前記ポケット１６に入れると、小物ケース３０の重さで開口部１２が引き下げられ、長襦袢８４の衿８６が着付けに最適な形状に整えられるとともに、その状態を保ちながら保管することができる。【選択図】　　　図１
0003097264.tif 000002
【実用新案登録請求の範囲】
【請求項１】
吊り掛けられた着物及び長襦袢の正面及び背面全体を覆う着物カバーであって、
前記着物及び長襦袢の後衿を露出する開口部，
前記長襦袢の背面側であって、前記開口部下方に設けられたポケット，
を有するカバー本体と、
前記ポケットに着脱可能に収納され、収納時に前記開口部を引き下げて長襦袢の後衿の形状を整えるとともに、着付けに使用する複数の小物を収納可能な小物ケース，
を備えたことを特徴とする着物カバー。
【請求項２】
前記小物ケースが、収納した小物が外部から分かる状態で、前記ポケットに収納されることを特徴とする請求項１記載の着物カバー。
【請求項３】
前記開口部近傍に着脱可能に設けられており、前記カバー本体及び小物ケースを、前記着物及び長襦袢を吊り掛けるハンガーとともに収納可能な収納袋，
を備えたことを特徴とする請求項１又は２記載の着物カバー。
【請求項４】
前記小物として、少なくとも足袋，肌着，裾よけ，腰紐，帯枕，伊達締め，衿芯，帯板，帯揚げ，帯締め，扇子，補正具を前記小物ケースに収納したことを特徴とする請求項１〜３のいずれかに記載の着物カバー。
【請求項５】
吊り掛けられた着物及び長襦袢の正面及び背面全体を覆う着物カバーであって、
前記着物及び長襦袢の後衿を露出する開口部，
前記長襦袢の背面側であって、前記開口部下方に設けられたポケット，
を有するカバー本体と、
前記ポケットに着脱可能に収納され、収納時に前記開口部を引き下げて長襦袢の後衿の形状を整えるとともに、着付けに使用する複数の小物を外部から分かる状態で収納可能な小物ケース，
前記開口部近傍に着脱可能に設けられており、前記カバー本体及び小物ケースを、前記着物及び長襦袢を吊り掛けるハンガーとともに収納可能な収納袋，
を備えるとともに、
前記小物として、少なくとも足袋，肌着，裾よけ，腰紐，帯枕，伊達締め，衿芯，帯板，帯揚げ，帯締め，扇子，補正具を前記小物ケースに収納したことを特徴とする着物カバー。
【考案の詳細な説明】
【０００１】
【考案の属する技術分野】
本考案は、着物カバーに関するものであり、特に、着付け作業の効率と仕上がりの改善に好適な着物カバーに関するものである。
【０００２】
【背景技術と考案が解決しようとする課題】
着物（和服）の着付けを行う際には、様々な下準備が必要となる。例えば、着物や長襦袢の衿の前処理や、伊達締め，帯締め，足袋といった着付けに必要な小物（肌着なども含む）を揃えることなどである。通常、衿の前処理を行った着物や長襦袢は、乱れ箱などに畳み直して一時保管しているが、整えた衿の型崩れが気になるものである。また、着付けに必要な小物は多数あり、全ての小物を思い浮かべて用意することは、着物に馴染んでいない人にとっては大変な作業である。美容院などに着付けを依頼する場合であっても、小物自体は自分で揃えなければならず、幾つかの小物を忘れることによって着付け当日に慌てることも多々ある。
【０００３】
一方、着物，長襦袢，小物などを預かる側（美容院など）では、通常は、小物，その他の忘れ物，不足品チェックは、着物に精通した者が担当する。しかしながら、成人式などの多忙なシーズンになると、必ずしもベテランが担当できるとは限らないため、他の者でもチェックなどを確実に行えると好都合である。また、同じ場所で複数の人に着付けを行う場合などは、互いの品物が交じり合い紛失することもある。更に、着付け時には、足元に乱れ箱や風呂敷包み等をおき、小物などを拾い上げながら作業を行うため、能率が悪く、足腰にも負担がかかる。
【０００４】
この考案は、以上の点に着目したもので、衿を着付けに最適な状態に整えたまま着物や長襦袢を保管するとともに、着付け作業の効率改善に好適な着物カバーを提供することを、その目的とするものである。
【０００５】
【課題を解決するための手段】
前記目的を達成するため、本考案は、吊り掛けられた着物及び長襦袢の正面及び背面全体を覆う着物カバーであって、前記着物及び長襦袢の後衿を露出する開口部，前記長襦袢の背面側であって、前記開口部下方に設けられたポケット，を有するカバー本体と、前記ポケットに着脱可能に収納され、収納時に前記開口部を引き下げて長襦袢の後衿の形状を整えるとともに、着付けに使用する複数の小物を収納可能な小物ケース，を備えたことを特徴とする。
【０００６】
他の考案は、吊り掛けられた着物及び長襦袢の正面及び背面全体を覆う着物カバーであって、前記着物及び長襦袢の後衿を露出する開口部，前記長襦袢の背面側であって、前記開口部下方に設けられたポケット，を有するカバー本体と、前記ポケットに着脱可能に収納され、収納時に前記開口部を引き下げて長襦袢の後衿の形状を整えるとともに、着付けに使用する複数の小物を外部から分かる状態で収納可能な小物ケース，前記開口部近傍に着脱可能に設けられており、前記カバー本体及び小物ケースを、前記着物及び長襦袢を吊り掛けるハンガーとともに収納可能な収納袋，を備えるとともに、前記小物として、少なくとも足袋，肌着，裾よけ，腰紐，帯枕，伊達締め，衿芯，帯板，帯揚げ，帯締め，扇子，補正具を前記小物ケースに収納したことを特徴とする。本考案の前記及び他の目的，特徴，利点は、以下の詳細な説明及び添付図面から明瞭になろう。
【０００７】
【考案の実施の形態】
以下、本考案の実施の形態について詳細に説明する。図１は、本実施形態の全体構成を示す図であり、図２は、本形態の小物ケースを示す図である。図３は、本実施形態の使用状態を示す図である。図１に示すように、本実施形態の着物カバーは、着物専用のハンガー７０に吊り掛けられた着物８２及び長襦袢８４の全体を覆うカバー本体１０，着付けに必要な複数の小物をひとまとめにして収納する小物ケース３０，前記カバー本体１０と空の状態の小物ケース３０を、ハンガー７０とともに収納する収納袋５０により構成されている。
【０００８】
まず、カバー本体１０は、図１（Ａ）に示すように、略中央に開口部１２が設けられた長方形の布地により形成されている。前記開口部１２は、ハンガー７０に掛けた状態の着物８２や長襦袢８４の衿（後衿）８６を露出する部分である。カバー本体１０は、同図（Ｂ）及び（Ｃ）に示すように、正面１０Ａと背面１０Ｂに分かれるように二つ折りにして使用される。前記開口部１２の縁には、前記収納袋５０を着脱可能に接続するための凹状のホック１４が設けられている。
【０００９】
カバー本体正面１０Ａには、前記開口部１２の下方に、前記小物ケース３０を入れるためのポケット１６が設けられている。該ポケット１６の右上には、前記小物ケース３０を着脱可能に接続するための凹状のホック１８が設けられている。また、正面１０Ａには、開口部１２の左斜め下方に、着物８２の所有者（着付け依頼人など）の名札８８を入れる名札ポケット２２が設けられている。
【００１０】
更に、カバー本体１０には、正面１０Ａの両側に４つの面ファスナー２６Ａ〜２６Ｄが設けられており、背面１０Ｂの両側にも４つの面ファスナー２８Ａ〜２８Ｄが設けられている。これら面ファスナー２６Ａ〜２６Ｄと２８Ａ〜２８Ｄは、それぞれ結合可能となっており、図１（Ｂ）及び（Ｃ）に示すように、カバー本体１０を二つ折りにした状態で固定することができる。なお、上側の面ファスナー２６Ａ，２６Ｃ，２８Ａ，２８Ｃは、互いに結合したときに、長襦袢８４の袖を挟まないような位置に設けられている。
【００１１】
このようなカバー本体１０としては、例えば、オーガンジーなどの目の詰まった高級感のあるしっかりとした素材が用いられる。また、本形態では、図示のように、カバー本体１０の両端，開口部１２の縁，ポケット１６の上端にレース２４が設けられており高級感を演出する構成となっているが、必ずしも必要なものではなく、好みなどに応じて設けるようにすればよい。前記ポケット１６，名札ポケット２２，レース２４は、縫製によってカバー本体１０に取り付けるようにしてもよいし、接着剤などで貼り付けるようにしてもよい。
【００１２】
以上のようなカバー本体１０のサイズの一例を示すと、本体の長さは３２０ｃｍ（二つ折り状態で１６０ｃｍ），幅１１２ｃｍ、開口部１２は幅３０ｃｍ，刳り込みが２ｃｍ、ポケット１６は幅が５０ｃｍ，深さが４２ｃｍ、名札ポケット２２は幅１２ｃｍ，深さ１１ｃｍである。なお、開口部１２からポケット１６までは約５３ｃｍである。
【００１３】
次に、小物ケース３０について説明する。図２（Ａ）に示すように、小物ケース３０は、全体が第１面３０Ａ〜第３面３０Ｃの３つに区分けされており、第１面３０Ａ及び第３面３０Ｃを、第２面３０Ｂに向けて折って三つ折りすることができる。なお、折り曲げる方向は使用状況に応じて変更可能である。例えば、着付け前及び着付け作業中は、小物収納側を表にして三つ折りにし、持ち運びやタンスなどに収納する時には小物収納側を内側にして折るという具合である。
【００１４】
前記小物ケース３０の内側には、前記多数の小物を収納するための複数のポケット，すなわち、１段目には深いポケット３２Ａ〜３２Ｇ，２段目には１段目よりも浅いポケット３４Ａ〜３４Ｅが形成されており、各ポケットに着付け用の小物が収納される。例えば、第１面３０Ａのポケット３２Ａには足袋，ポケット３２Ｂには肌着及び裾よけ，ポケット３４Ａにはストッキング，ポケット３４Ｂにはベルト、第２面３０Ｂのポケット３２Ｃには腰紐，ポケット３２Ｄには、帯枕，伊達締め，衿芯，ポケット３４Ｃには帯板３４Ｃ、第３面３０Ｃのポケット３２Ｅには帯揚げ，ポケット３２Ｆには帯締め，ポケット３２Ｇには扇子，ポケット３４Ｄ及び３４Ｅには補正具などを収納する。小物ケース３０は、これらの小物収納側を表に向けて三つ折りにした状態（図２（Ｂ）参照）で前記カバー本体１０のポケット１６に収納される。また、三つ折りにした内側には、依頼者が着物８２などを持参するときに使用した風呂敷３６などを畳んで収納しておくことができる。
【００１５】
また、前記第１面３０Ａの右端略中央には、環状のゴム３８が設けられており、第３面３０Ｃの外側には、第２面３０Ｂ寄りの位置にボタン４０が設けられている。該ボタン４０に前記ゴム３８を掛けると、小物収納側を内側にして三つ折りした状態で止めることができ（図２（Ｃ）参照））、持ち運び時に中身が見えることがない。更に、第３面の左上端には、カバー本体１０との接続用の紐４２が設けられており、その先端には凸状のホック４４が設けられている。該ホック４４とポケット１６近傍のホック１８を結合することにより、小物ケース３０をカバー本体１０に着脱可能に取り付けることができる。
【００１６】
以上のような小物ケース３０は、例えば、外側にはしっかりとしたナイロンキルティング素材を用い、内側のポケット３２Ａ〜３２Ｇ，３４Ａ〜３４Ｅには中身の小物が一目でわかるように、例えばネット素材が用いられる。なお、着付け作業の折に、片手で小物が楽に取り出せるように、前記各ポケット３２Ａ〜３２Ｇ，３４Ａ〜３４Ｅの入口はテープなどで綺麗に端の処理を行うとよい。このような小物ケース３０のサイズの一例をあげると、第１面３０Ａと第３面３０Ｃの幅がそれぞれ４０ｃｍ，第２面の幅が４５ｃｍ，高さ（深さ）が３５ｃｍ程度である。
【００１７】
次に、収納袋５０について説明する。収納袋５０は、図１（Ａ）に示すように、袋状の収納部５２と蓋５４により構成されており、その境目には、ハンガー７０のフック７６を通すための切れ込み５６が形成されている。また、蓋５４の縁には環状のゴム５８が設けられており、収納部５２の正面略中央にはボタン６０が設けられている。前記ゴム５８をボタン６０に掛けると、蓋５４を閉じた状態で維持することができる。また、前記切れ込み５６の縁には、カバー本体１０の開口部１２と接続するための紐６２が取り付けられており、その先端には凸状のホック６４が設けられている。該ホック６４を、カバー本体１０の開口部１２の縁に設けられた凹状のホック１４と結合させることにより、収納袋５０をカバー本体１０に対して着脱可能に取り付けることができる。
【００１８】
このような収納袋５０の素材としては、前記カバー本体１０と同様のものや、例えば、目の細かいナイロンネットなどが使用され、縫製などにより成形される。収納袋５０のサイズの一例をあげると、例えば、収納部５２の幅が５５ｃｍ，深さが２０ｃｍ，蓋５４の深さが１５ｃｍ，切れ込みの長さが６ｃｍである。上述したように、小物ケース３０は空の状態で三つ折りにすると幅が４５ｃｍとなり、幅５０ｃｍのポケット１６に収納できる。そして、ポケット１６の両端に沿ってカバー本体１０を折り、下端から巻き上げる（ないしは折り畳む）と、カバー本体１０は幅約５０ｃｍの巻物状となり、幅５５ｃｍに形成された収納袋５０に納めることができる。なお、本実施形態で使用するハンガー７０は、図１（Ｂ）及び（Ｃ）に示すように両端の腕７０Ａ，７０Ｂが伸縮可能となっており、収納袋５０への収納を妨げることはない。
【００１９】
次に、図３も参照して、本実施形態の作用を説明する。ここでは、美容院などが着付けの依頼を受け、依頼人から着物８２，長襦袢８４，帯８０のほか、着付けに必要な小物一式を事前に預かっているものとして説明する。なお、小物一式は、依頼人が事前に渡された小物ケース３０に必要な小物を収納してから美容院へ預けるようにしてもよいし、依頼人から預かった複数の品を美容院で整理して小物ケース３０に収納するようにしてもよい。いずれの場合でも、まず、各ポケット３２Ａ〜３２Ｇ，３４Ａ〜３４Ｅに所定の小物が揃っているか確認を行う。このとき、各ポケットに入れる小物の名称が分かるように名札ポケットなどを設け、記入した札を入れておくようにすると確認が容易になる。
【００２０】
預かった着物８２などを保管する際には、まず、カバー本体１０の開口部１２の縁のホック１４と、収納袋５０の紐６２に設けられたホック６４を結合して、収納袋５０をカバー本体１０に接続する。次に、図３（Ａ）に示すようにハンガー７０に着物８２を掛け、帯掛け７２に帯８０を掛ける。そして、同図（Ｂ）に示すように、着物８２と向き合うように、衿８６の前処理を施した長襦袢８４を掛け、カバー本体１０の開口部１２からハンガー７０のフック７６を通して、長襦袢８２の上からカバー本体１０をかける。更に、同図（Ｃ）に示すように、収納袋５０の切れ込み５６にもフック７６を通し、フック７６を壁際や架設パイプ棒などに吊るす。そして、カバー本体１０の両端の面ファスナー２６Ａ〜２６Ｄと２８Ａ〜２８Ｄを結合し、長襦袢８４の袖の下の位置で固定する。この状態が図１（Ｂ）に示す状態である。また、図３（Ｄ）の拡大図に示すように、収納袋５０の蓋５４によって衿８６がカバーされている。
【００２１】
次に、小物を収納した小物ケース３０を、ポケット３２Ａ〜３２Ｇ，３４Ａ〜３４Ｅ側が表に向くように三つ折りにし、ポケット口を上にして、ポケット１６に立てて入れる（図３（Ｃ））。このとき、小物ケース３０は、紐４２でポケット１６に着脱可能に接続されるとともに、小物ケース３０自体の重さでポケット１６内の所定の位置に固定される。この状態では、小物ケース３０の重みで、開口部１２が図３（Ｃ）に矢印で示すように下方に引き下げられ、開口部１２の縁が長襦袢８４の衿８６を背面側へ押し出すようになる。すると、衿８６の後部が着付けに最適の状態，いわゆる「衿を抜いた」状態に整えられ（図１（Ｃ）参照）、前処理を施した衿８６の変形を防止するとともに、その状態で着付けまで保管しておくことができる。なお、依頼者が着物８２などを持参するときに使用した風呂敷３６は、図２（Ｂ）に示すように、三つ折りにした小物ケース３０の内側へ畳んで収納しておくことにより、依頼者が持ち帰るなどの手間を省くことができる。更に、名札ポケット２２に、依頼者の氏名などを書いた名札８８を入れるようにすると、複数の依頼者の荷物を預かっている場合でも取り違えたりすることがない。
【００２２】
着付けを行う際には、ポケット１６の小物ケース３０からストッキング，足袋，肌着，裾よけを取り出して着用させ、カバー本体１０の面ファスナー２６Ａ〜２６Ｄ，２８Ａ〜２８Ｄの結合を外して、ハンガー７０から長襦袢８２を外し、依頼者に着せ掛ける。上述したように、衿８６が整形された状態のため、そのまま着せ付けるだけでよい。次いで、ポケット１６の小物ケース３０から必要な小物を取り出して使用しながら着物８２を着せ、帯８０を結ぶ。このとき、着付けを行う人の腰よりも上の位置に全ての小物が用意されているため、無理な姿勢をとって身体に負担をかけることなく、一人でも美しく仕上げることができる。
【００２３】
着付けが終了して小物ケース３０が空になったら、ハンガー７０の両腕７０Ａ及び７０Ｂを縮めて収納袋５０内に収納可能な長さにする。そして、小物ケース３０をポケット１６に納めた状態で、ポケット１６の両端に沿ってカバー本体１０の両端を中央に向けて折り返し、更に、裾から上に向けて巻き上げて、ハンガー７０ごと収納袋５０に収納する。最後に、図３（Ｅ）に示すように、ハンガー７０の紐７８の部分を折り曲げて、フック７６を収納袋５０のボタン６０に掛けるようにすると、かさ張らずにコンパクトにまとめることができる。
【００２４】
このように、本実施形態によれば、次のような効果が得られる。
（１）カバー本体１０の略中央の開口部１２から長襦袢８４の衿８６を露出させるとともに、開口部１２の下方に設けたポケット１６に小物を収納した小物ケース３０を入れることとしたので、衿８６を前処理して整えたまま保ち、速やかに、かつ、美しく着付けを仕上げることができる。
【００２５】
（２）小物ケース３０に、着付けに必要な多数の小物をまとめて収納し、カバー本体１０のポケット１６に収納することとしたので、一人分の着付けに必要な着装品，すなわち、着物８２，長襦袢８４，帯８０及び小物一式をひとまとめにできる。このため、着付けの準備や後片付け，小物の品揃えのチェックなどを容易に確実に行うことができ、着付け作業をスムーズに行うとともに、狭いスペースでも美しい着付けを行うことができる。また、複数人の着付けを同時に同じ場所で行う際にも、小物などを取り違えることがない。更に、小物類を高い位置（ポケット１６の位置）から取り出すことができるため、足腰に負担をかけることなく速やかな作業を行うことが可能である。
【００２６】
（３）収納袋５０を設けることとしたので、着付け作業終了後には、ハンガー７０とともにカバー本体１０と空の小物ケース３０を収納し、かさ張らずにしまうことができる。
（４）名札ポケット２２を設けることとしたので、多数の依頼人の品を預かっているような場合でも、取り違えることがない。
【００２７】
＜他の実施形態＞……本考案には数多くの実施形態があり、以上の開示に基づいて多様に改変することが可能である。例えば、次のようなものも含まれる。
（１）上述した実施形態を構成する各部の素材としては各種のものが知られており、それら公知のものを使用してよい。また、各部の大きさ，形状，色彩，模様なども必要に応じて適宜変更してよい。例えば、前記形態の名札ポケット２２の大きさも一例であり、小さめに設けて名札８８を折り畳んで収納するようにしてもよい。
【００２８】
（２）前記形態の小物ケース３０も一例であり、図２（Ｃ）に示すように、小物ケース９０の第２面３０Ｂの上下に略三角形の蓋９２，９６を設けるようにしてもよい。そして、小物収納側が内側になるように三つ折りし、ボタン４０にゴム３８を掛けるとともに、下蓋９６のボタン９８に、上蓋９２のゴム９４を掛けると、持ち運びの際に中身がこぼれたり紛失したりするのを防ぐことができる。また、このような小物ケース３０や９０を単品で使用することを妨げるものではない。例えば、小物ケース３０の寸法を、着物をしまう「たとう紙」と同じ奥行き寸法で形成すると、着物と一緒にタンスに納めやすい。また、常時、必要な小物が収納されているので、着付けの時に忘れ物や不足品で慌てることはなく、着付けを行う場所へも簡便に運ぶことができる。更に、小物ケース３０や９０の内側のポケットの仕切り方も必要に応じて適宜変更してよい。
【００２９】
（３）前記形態のハンガー７０も一例であり、どのような着物ハンガーに対しても本考案の着物カバーは取り付けることができる。また、前記形態におけるハンガー７０の腕７０Ａ，７０Ｂも一例であり、着脱式としてもよく、着付け終了後に腕７０Ａ，７０Ｂを取り外して、カバー本体１０とともに収納袋５０にしまうようにしてもよい。また、前記形態のハンガー７０には帯掛け７２が設けられていたが、帯掛け７２が設けられていないハンガーを使用する場合には、三つ折りにした小物ケース３０の内側に、風呂敷３６とともに、畳んだ（あるいは巻いた）帯８０を立てるように入れてもよい。
【００３０】
（４）前記形態では、着付け用小物として、足袋，肌着，裾よけ，ストッキング，ベルト，腰紐，帯枕，伊達締め，衿芯，帯板，帯揚げ，帯締め，扇子，補正具などの例を示したが、その他の各種の小物を小物ケース３０に収納するようにしてもよいし、一部を省略するようにしてもよい。
【００３１】
（５）前記形態では、小物ケース３０，収納袋５０とカバー本体１０の接続にボタンホック（スナップ）を利用したが、鉤ホックを利用するようにしてもよいし、他の公知の各種の結合手段を用いてもよい。三つ折りにした小物ケース３０Ａや収納袋５０の蓋５４の固定についても、同様の効果を奏するように適宜変更してもよい。カバー本体１０の両端の留め方も同様である。
【００３２】
（６）着付け前の事前準備の手順も一例であり、何ら上記実施形態に限定されるものではない。例えば、前記形態では、美容院などに着付けを依頼する場合について説明したが、着付け教室や他の場所で利用するようにしてもよい。
【００３３】
【考案の効果】
以上説明したように、本考案によれば、次のような効果が得られる。
（１）カバー本体の略中央に着物や長襦袢の衿を露出させる開口部を設け、該開口部の下方に設けたポケットに、複数の小物を収納した小物ケースを入れることとしたので、衿を着付けに適した状態に整えるとともに、その状態を保ちながら保管することができ、着付けを速やかに美しく仕上げることができる。
（２）前記小物ケースに、着付けに必要な全ての小物を収納してカバー本体のポケットに納めることとしたので、一人分の着付けに必要な着装品を全てひとまとめにでき、小物チェックを容易かつ確実に行うことができる。更に、カバー本体のポケットに入れたまま小物を一つずつ取り出すことができるため、作業者は無理な姿勢をとることなくスムーズに着付け作業を行うことができる。
（３）ハンガーとともに、カバー本体及び小物ケースを収納袋に収納することとしたので、使用しない時には、ハンガーごと畳んでコンパクトに収納することができる。
【図面の簡単な説明】
【図１】本考案の一実施形態の全体構成を示す図である。
【図２】前記形態の小物ケースを示す図である。
【図３】前記形態の使用状態を示す図である。
【符号の説明】
１０…カバー本体
１０Ａ…正面
１０Ｂ…背面
１２…開口部
１４，１８，４４，６４…ホック
１６…ポケット
２２…名札ポケット
２４…レース
２６Ａ〜２６Ｄ，２８Ａ〜２８Ｄ…面ファスナー
３０…小物ケース
３０Ａ…第１面
３０Ｂ…第２面
３０Ｃ…第３面
３２Ａ〜３２Ｇ…１段目ポケット
３４Ａ〜３４Ｅ…２段目ポケット
３６…風呂敷
３８，５８…ゴム
４０，６０…ボタン
４２，６２…紐
５０…収納袋
５２…収納部
５４…蓋
５６…切れ込み
７０…ハンガー
７０Ａ，７０Ｂ…腕
７２…帯掛け
７６…フック
７８…紐
８０…帯
８２…着物
８４…長襦袢
８６…衿
８８…名札
９０…小物ケース
９２，９６…蓋
９４…ゴム
９８…ボタン
【図１】
0003097264.tif 000003
【図２】
0003097264.tif 000004
【図３】
0003097264.tif 000005